(57)【要約】【課題】屋内で、高齢で歩行が困難な人や下肢の不自由な人の歩行補助や、物の運搬ができる歩行補助車を提供する。【解決手段】四本の支柱１，２で支えられた棚板３，４と引出し収納６を備えた手押し車であり、後部の支柱２には手押しハンドル７を設け、底部に設けられたキャスター８で自在に動く。屋内の廊下のすれ違いや狭い場所での操作が片手でも行えるように、棚板３，４の縦、横の長さは住居の廊下幅の二分の一より小さいサイズで形成されている。棚板３，４の周囲には載せた物が落ちないように枠板５が設けられており、下部の棚板４の枠板５には杖を携行するための杖立て９を備えている。この屋内歩行補助を兼ねた運搬車が使えない場所では携行した杖を使用できるので、介護者の手を借りなくとも屋内は自力での歩行が可能である。【選択図】図１
2006043034.tif 000002
【特許請求の範囲】
【請求項１】
四本の支柱と、支柱に水平に支えられた棚板と引出し収納を備えた手押し車であって、四角形である棚板の縦、横の長さは住居の廊下幅の二分の一より小さいサイズで形成され、棚板の周囲には枠板が設けられ、その枠板には杖を固定する杖立てを備え、前部の支柱より高く立設させた後部の支柱には押し手が設けられ、底部にはキャスターを有することを特徴とする屋内歩行補助を兼ねた運搬車。
【発明の詳細な説明】
【技術分野】
【０００１】
本発明は、高齢等で歩行が困難な人や下肢の不自由な人が、歩行時に杖代わりとして使用される歩行補助車や、荷物を運搬する際に用いられる運搬車などの車輪を備えた手押し車に関する。
【背景技術】
【０００２】
屋内では、高齢等で歩行が困難な人や下肢の不自由な人の歩行補助具としては手摺が一般的であるが、廊下を横切る際や建具の周辺などでは手摺を取付けることはできない。また下地のない壁面では下地を入れることや、手摺用の柱を立てないと手摺は取付けできないなど、工事が必要な場合が多く住人が簡単に取付けできない。
【０００３】
屋外では、高齢等で歩行が困難な人の歩行補助具として、買い物や杖代わりに使用される歩行補助車はあるが、屋内で使用できる歩行補助車はなかった。
【０００４】
屋内の運搬具としてはワゴンテーブル等があるが、ワゴンテーブルは運搬車として使用するよりは、物を置く台としての利用が多い。高齢等で歩行が困難な人や下肢の不自由な人が、ワゴンテーブルを運搬車として使用するには、重いうえに大きすぎて部屋の移動や狭い場所での操作が難しい。
【発明の開示】
【発明が解決しようとする課題】
【０００５】
屋内では、高齢等で歩行が困難な人や下肢の不自由な人の歩行補助具としては手摺が一般的であるが、手摺は連続して取付けできないので杖や介護者が必要である。また、屋内ではこれらの人達に適応した運搬具がなかった。これら屋内を、手摺があれば歩行ができる人の障害を解決するとともに、自立を促しリハビリにも使える歩行補助車を提供する。
【０００６】
屋内の歩行補助具としての手摺は、下地のない壁面や建具の周辺、和室の塗り壁などには取付ける事ができないなど、屋内を連続して手摺を取付ける事は不可能である。また手摺は壁面に取付けるので、広い部屋では中央に移動する事ができず、そのため手摺のない場所での移動は杖や介護者が必要である。
【０００７】
屋外で買い物等に使用される歩行補助車は各種あるが、骨組みは風雨に強く錆び難い金属性であり、舗装でない道路でも使用できるように車輪も金属性で大きく、安定性を保つ為に前後輪の間隔が広く作られているので、屋内のような狭い場所で操作するには、大きすぎるうえに重くて使用するには適さない。また屋内で歩行補助具を必要とする人は、屋外を歩ける人以上の配慮を必要とする。
【０００８】
屋内で歩行が困難な人が自力で物を運ぶ時は、片手が手摺や杖などに捕まるため片手で持てる物しか運ぶ事ができない。また歩行困難な人は手にも障害を負っている場合が多く、動かせる手は手摺や杖に掴まるため、物の運搬は他人の介助が不可欠である。
【０００９】
屋内の運搬具にワゴンテーブル等があるが、これは大きな一つの部屋の中で物を置く台としての使用を考えて作られており、部屋を移動する時には廊下のすれ違いや狭い場所での操作が簡単にできない。手押しハンドルの高さも使用者の身長に合わせて調整できず、積載重量に耐えられるように大きくて重く作られている。歩行の困難な人は、手にも障害を伴っている場合が多く、片手で杖のように操作できる事が必要である。
【００１０】
一人暮らしをしている高齢者や歩行の困難な人は、日常生活に伴う食事の片付けや洗濯物など、自力で身の回りの物を運ぶ事は大変な労力を必要とするが、これらの人達が簡便に使用できる運搬具は作られていなかった。また部屋の移動の際、薬やタオル・ティッシュペーパーなどの普段使用する物はいつも身に付けているか、各部屋に分散して置いておかなくてはならない。
【課題を解決するための手段】
【００１１】
この発明は歩行が困難な高齢者などが、手摺のない場所や介護者がいなくても、屋内を自力で移動ができ、生活に伴う物の運搬も容易にできる事を目的とする。
【００１２】
四本の支柱で水平に支えられた二枚の棚板と、棚板の下に引出し収納が設けられ、底部に取付けたキャスターで自在に移動する手押し車である。支柱は一対の前支柱と、前支柱より高い一対の後支柱があり、前支柱と棚板の高さは食事テーブルの高さより低くしてあるので、後支柱以外は食事テーブルの下に収まるので場所をとらない。
【００１３】
この屋内歩行補助を兼ねた運搬車は木製か樹脂製で作られており、物を載せる棚板の縦、横の長さは住居の廊下幅の二分の一より小さいサイズで形成されているので、廊下のすれ違いや狭い場所でも片手で簡単に操作することができる。その棚板の周囲には載せた物が落ちないように枠板が設けてある。全体がコンパクトに作られているので、住居にある洋室と和室の段差なども片手で簡単に乗越えることができる。
【００１４】
また棚板（上）の下には引出し収納が設けてあり、これには普段使用している薬や吸飲み・タオル・ティッシュペーパーなどを入れて置けば、使用者と一緒に移動ができるので、就寝時はベッド脇に置き、リハビリなどの歩行時でも薬やタオル・ティッシュペーパーなどの使用が可能である。引出し収納には閂状の鍵を設け、傾斜やガタツキなどで開かないようになっている。
【００１５】
一対の後支柱は手押しハンドルを設けるために高く設けてあり、手押しハンドルは握り易い丸棒で作られている。使用する人の身長の相違と、その日の体調の変化で変わる腰、肩の高さの違いに対応するため、手押しハンドルは二段設けてあるが、それでも合わない時は手押しハンドルを移動することができる。      
【００１６】
上の棚板には食事道具を、下の棚板には洗濯物などの濡れた物を載せても傷まないように、棚板には防水加工が施してある。
【００１７】
屋内に手摺がなく、しかも屋内歩行補助を兼ねた運搬車が使用できない場所がある時には、杖で歩行ができるように杖を携行するための杖立てを備えている。杖立ては棚板（下）の周囲にある枠板に固定すればよく、使用者が杖を持つ手の方向に取付ければよい。屋内なら介護者の手を借りる事なく、屋内歩行補助を兼ねた運搬車と、携行した杖で自力での歩行が可能である。
【発明の効果】
【００１８】
本発明の屋内歩行補助を兼ねた運搬車を歩行が困難な人が使えば、屋内で手摺のない場所の移動も自力でできる。廊下のすれ違いや狭い場所での小回りも片手で容易に操作でき、身の回り品の持ち運びも上と下ある棚板の他に、引出し収納には必需品を入れておけるので一緒に移動ができる。杖は杖立てに入れて携行でき、屋内歩行補助を兼ねた運搬車が使用できない場所では杖を使用して歩行する。この屋内歩行補助を兼ねた運搬車を使えば、屋内を歩行する時は自立が可能であり、リハビリなどにも活用できる。
【実施例】
【００１９】
以下、図面を参照して、この発明の実施の形態について説明する。図１は屋内歩行補助を兼ねた運搬車の斜視図であり、棚板３，４の他に引出し収納６で物が運搬でき、手押しハンドル７を掴んで歩行すれば、キャスター８で自在に移動する。杖立て９は棚板（下）４の枠板５に取付け杖を携行している。
【００２０】
四本の支柱１，２のうち、前支柱１と棚板（上）３の高さは食事テーブルの下に収まる寸法であり、後支柱２は手押しハンドル７を設けるため前支柱１より高く立設している。手押しハンドル７は二段設けてあるので、使用者の身長に合う高さの手押しハンドル７を掴んで歩行する。二段ある手押しハンドル７でも合わない時は図４の側面図にあるように、後支柱２には手押しハンドル７が移動できるように数箇所の取付け場所１０を設けてある。
【００２１】
この屋内歩行補助を兼ねた運搬車は、廊下のすれ違いや狭い場所でも操作できるように、棚板３、４の大きさは縦、横とも住居の廊下幅の二分の一より小さいサイズで形成されている。この大きさなら杖のように、片手で操作が可能である。
【００２２】
この屋内歩行補助を兼ねた運搬車は、図３のように後背部に引出し収納６が設けてあるので、普段使用する薬やタオル、ティッシュペーパーなどの身の回り品を入れておけば、使用者と一緒に移動ができ、どこでも使用が可能である。引出し収納６には傾斜やガタツキで開かないように、簡単な操作で開く鍵が設けてある。
【００２３】
屋内歩行補助を兼ねた運搬車の棚板３，４の周囲には、歩行中や振動などで載せた物が落ちないように枠板５が設けてある。棚板３，４と枠板５は掃除しやすいように隙間を設けてある。
【００２４】
杖立て９は棚板（下）４の周囲に取付けてある枠板５に固定する。図１の斜視図は右方に杖立て９を取付けてあるが、四面どこの枠板５にも取付け可能なので、使用者が杖を持つ手の方向に固定すればよい。杖立て９は枠板５に差し込んだ後に動かないように、支持部１２にあるネジ１４を締めて固定する。
【図面の簡単な説明】
【００２５】
【図１】屋内歩行補助を兼ねた運搬車の斜視図
【図２】屋内歩行補助を兼ねた運搬車の正面図
【図３】屋内歩行補助を兼ねた運搬車の後背図
【図４】屋内歩行補助を兼ねた運搬車の側面図
【図５】屋内歩行補助を兼ねた運搬車の平面図
【図６】杖立て平面図
【図７】杖立て側面図
【符号の説明】
【００２６】
１．前支柱
２．後支柱
３．棚板（上）
４．棚板（下）
５．枠板
６．引出し収納
７．手押しハンドル
８．キャスター
９．杖立て
１０．手押しハンドルの取付け箇所
１１．引出し収納の取っ手
１２．杖立ての支持部
１３．杖を入れる筒部
１４．杖立てを枠板に固定するネジ
【図１】
2006043034.tif 000003
【図２】
2006043034.tif 000004
【図３】
2006043034.tif 000005
【図４】
2006043034.tif 000006
【図５】
2006043034.tif 000007
【図６】
2006043034.tif 000008
【図７】
2006043034.tif 000009